(57)【要約】【課題】バックアップコンピュータに転送したベースデータ及び更新データによって、バックアップデータベースを作成させる簡易なシステムを設置し、非常事態にバックアップデータベースをパーソナルコンピュータから検索更新して、営業店の業務を続行することを可能にする【解決手段】バックアップコンピュータ２０が、退避データを格納するベースデータファイル２２と、更新データを格納するトランザクションデータファイル２３と、ジャーナルデータ及び制御データを格納する保管データファイル２４と、運用コンピュータ１０のデータベース１２を代替えするバックアップデータベース２６と、バックアップデータベース２６を検索更新するパーソナルコンピュータ３と、を備える。【選択図】      図１
2005018463.tif 000002
【特許請求の範囲】
【請求項１】
オンライン端末からの処理要求に対して、データベースを検索及び更新して処理結果を前記オンライン端末に返す運用コンピュータと、前記運用コンピュータをバックアップするバックアップコンピュータと、を有するシステムにおいて、
前記バックアップコンピュータが、
前記運用コンピュータからのファイル転送を送受するデータ送受信処理部と、
前記データベースの静止点で作成される退避データであるベースデータを格納するベースデータファイルと、
前記データベースの更新データであるトランザクションデータをリアルタイムで受けて格納するトランザクションデータファイルと、
前記運用コンピュータのジャーナルデータ及び制御データを格納する保管データファイルと、
前記運用コンピュータのデータベースを代替えするバックアップデータベースと、
前記ベースデータを用いてバックアップデータベースを作成し、前記トランザクションデータによって前記バックアップデータベースを更新し、前記データベースに整合させるデータベース作成処理部と、
前記運用コンピュータが稼働できない事態のとき、前記バックアップデータベースを検索更新するブラウザを備えるパーソナルコンピュータを接続するデータ検索更新処理部と、
前記パーソナルコンピュータが検索更新に用いる画面データを格納する画面データファイルと、
前記パーソナルコンピュータが更新するバックアップデータベースの更新データを前記データベースの復旧用に格納する更新データファイルと、
を有することを特徴とする簡易バックアップシステム。
【請求項２】
前記バックアップコンピュータは、
前記バックアップデータベースから営業店用に部分抽出した部分バックアップデータベースを作成し、前記パーソナルコンピュータに通信回線を通じて送付する部分抽出処理部を備えることを特徴とする請求項１記載の簡易バックアップシステム。
【請求項３】
前記パーソナルコンピュータは、
持ち運び可能な記憶媒体を装填する外部記憶装置を備え、前記部分バックアップデータベースを前記記憶媒体に格納することを特徴とする請求項２記載の簡易バックアップシステム。
【請求項４】
前記パーソナルコンピュータは、
外部記憶装置を備え、
通信回線が不通であるとき、前記部分バックアップデータベースを格納した、持ち運び可能な記憶媒体を前記外部記憶装置に装填し、前記部分バックアップデータベースを検索更新して、営業店業務を支援することを特徴とする請求項２記載の簡易バックアップシステム。
【請求項５】
前記部分バックアップデータベースは、
所定の営業店用に口座残高情報を含む顧客データを抽出したファイルであることを特徴とする請求項２記載の簡易バックアップシステム。
【請求項６】
前記バックアップコンピュータは、
ウェブブラウザから検索更新できるデータベースサーバであることを特徴とする請求項１記載の簡易バックアップシステム。
【発明の詳細な説明】
【０００１】
【発明の属する技術分野】
この発明は、バンキングシステムなど、データベースとオンライン端末とでなる運用コンピュータのバックアップシステムに関し、特に、災害などで、運用コンピュータが長時間にわたり復旧できない場合、パーソナルコンピュータのブラウザによってバックアップデータベースを検索更新し、営業店業務を支援する簡易バックアップシステムに関する。
【０００２】
【従来の技術】
バンキングシステムにおいて、営業店サーバの制御情報や照会データをセンター側のサーバに同じく保持しておき、障害時に、営業店サーバのバックアップをセンター側サーバで行うシステムがある。このバックアップシステムは、センターサーバに営業店サーバを代替えさせることによって、迅速な切り替えができるが、営業店サーバの制御情報及び照会データをセンターに同じく保持するため、大がかりなバックアップシステムをセンターに備えることになる。また、営業店とセンター間の通信回線が長時間にわたって不通となる事態に営業店のサーバが障害を生じると、センターサーバは営業店をバックアップすることができない（例えば、特許文献１）。
【０００３】
更に、クライアントのアプリケーションに障害が生じると、センター側のデータベースを利用できなくなる事態がある。この場合、アプリケーションが復旧するまで、システムを利用できないことになり、長時間にわたることが多い。そのような事態に備えて、データベースを常に参照することができるように、データベースをブラウザから参照可能なＨＴＭＬ形式に変換して格納するバックアップデータベースを別に備えて、クライアントのブラウザによって、該バックアップデータベースを参照する。このように、パーソナルコンピュータのブラウザによるバックアップデータベースの参照機能を最低限利用可能にするバックアップシステムの例がある。これは、医療システムの例であるが、データベースを参照する機能を確保することによって、業務の実施不能を避ける例である（例えば特許文献２）。
【０００４】
【特許文献１】
特開２０００−８２０４０号公報（図５及び段落００２１）
【特許文献２】
特開平１１−１３４２２８号公報（図１及び００２７）
【０００５】
【発明が解決しようとする課題】
従来、バンキングシステムのバックアップシステムは、運用コンピュータと同様な設備を遠隔地に設置し、運用コンピュータと同様な処理を行わせようとするものであるが、そのようなバックアップコンピュータはそれ自体が大規模になるし、かつ高価である。また、メンテナンスなどの維持も、運用コンピュータに対すると同様に必要となる問題がある。
【０００６】
更に、運用コンピュータが被災して、バックアップコンピュータに切り替えて稼動させる場合、遠隔地のバックアップコンピュータに要員を派遣し、運用を行わなければならないことや、運用コンピュータの構成変更が発生した場合も、バックアップコンピュータへの変更も行わなければならないため、稼働させるのに多大な費用が必要となる問題がある。
【０００７】
バンキングシステムは、営業店にもサーバを設置する大規模なシステムが通常であるが、一方、営業店にはオンライン端末のみで、センターにデータベースを集中させている小規模なシステムもある。このようなシステムで、地震などの災害によって、社会のインフラに障害が生じ、センターシステムとの接続が長時間望めない事態が生じたとき、通常の電話回線から接続でき、安価で完全無人化運用ができ、パーソナルコンピュータのブラウザからアクセスできる簡易バックアップシステムが望まれる。
【０００８】
この簡易バックアップシステムは、運用コンピュータ内のデータとそのデータに対する更新処理イメージを、随時、バックアップ用コンピュータに送り、蓄積したバックアップデータベースを備える。センターコンピュータとの接続が不通になって、短時間で復旧が不可能な場合に、通帳処理など限定された業務を継続するため、営業店のパーソナルコンピュータのブラウザから、このバックアップデータベースを検索更新できる簡易バックアップシステムに関するものである。
【０００９】
このようなバックアップシステムによって、営業店は通帳処理に必要な顧客の口座残高を参照することができる。また、バックアップデータベースを営業店単位に部分抽出した口座残高を、パーソナルコンピュータに転送して持ち運び可能な記憶媒体に記憶させ、バックアップコンピュータに接続できないパーソナルコンピュータに該記憶媒体を装填して、オフラインで口座残高を参照し、通帳処理などの業務を支援する。
【００１０】
この発明の目的は、バックアップコンピュータをデータベースサーバなどの簡易な装置で構成し、ベースデータ及び更新データによって、バックアップデータベースを作成させることにある。
【００１１】
更に、他の目的は、災害が発生した非常事態に、バックアップデータベースをパーソナルコンピュータから検索更新して、口座残高など顧客データを入手して、オンライン端末が不通になった営業店の業務を続けることを可能にすることにある。
【００１２】
更に、他の目的は、非常事態で、パーソナルコンピュータがバックアップコンピュータに接続できないとき、バックアップデータベースから接続できるパーソナルコンピュータを用いて口座残高など顧客データを持ち運びできる記憶媒体に記憶させ、オフラインのパーソナルコンピュータに該記憶媒体を装填して、口座残高情報を提供して通帳処理を支援することにある。
【００１３】
【課題を解決するための手段】
そのため、この発明の、オンライン端末からの処理要求に対して、データベースを検索及び更新して処理結果を前記オンライン端末に返す運用コンピュータと、前記運用コンピュータをバックアップするバックアップコンピュータと、を有するシステムにおいて、前記バックアップコンピュータが、前記運用コンピュータからのファイル転送を送受するデータ送受信処理部と、前記データベースの静止点で作成される退避データであるベースデータを格納するベースデータファイルと、前記データベースの更新データであるトランザクションデータをリアルタイムで受けて格納するトランザクションデータファイルと、前記運用コンピュータのジャーナルデータ及び制御データを格納する保管データファイルと、前記運用コンピュータのデータベースを代替えするバックアップデータベースと、前記ベースデータを用いてバックアップデータベースを作成し、前記トランザクションデータによって前記バックアップデータベースを更新し、前記データベースに整合させるデータベース作成処理部と、前記運用コンピュータが稼働できない事態のとき、前記バックアップデータベースを検索更新するブラウザを備えるパーソナルコンピュータを接続するデータ検索更新処理部と、前記パーソナルコンピュータが検索更新に用いる画面データを格納する画面データファイルと、前記パーソナルコンピュータが更新するバックアップデータベースの更新データを前記データベースの復旧用に格納する更新データファイルと、を有することを特徴とする。
【００１４】
更に、前記バックアップコンピュータは、前記バックアップデータベースから営業店用に部分抽出した部分バックアップデータベースを作成し、前記パーソナルコンピュータに通信回線を通じて送付する部分抽出処理部を備えることを特徴とする。
【００１５】
更に、前記パーソナルコンピュータは、持ち運び可能な記憶媒体を装填する外部記憶装置を備え、前記部分バックアップデータベースを前記記憶媒体に格納することを特徴とする。
【００１６】
更に、前記パーソナルコンピュータは、外部記憶装置を備え、通信回線が不通であるとき、前記部分バックアップデータベースを格納した、持ち運び可能な記憶媒体を前記外部記憶装置に装填し、前記部分バックアップデータベースを検索更新して、営業店業務を支援することを特徴とする。
【００１７】
更に、前記部分バックアップデータベースは、所定の営業店用に口座残高情報を含む顧客データを抽出したファイルであることを特徴とする。
【００１８】
更に、前記バックアップコンピュータは、ウェブブラウザから検索更新できるデータベースサーバであることを特徴とする。
【００１９】
【発明の実施の形態】
この発明について図面を参照して説明する。この発明の実施の形態を示す図１を参照すると、この実施の形態は、営業店のオンライン端末１と、センターに設置される運用コンピュータ１０と、運用コンピュータ１０を非常時にバックアップするバックアップコンピュータ２０と、バックアップコンピュータ２０を接続するデータ送受信処理部１３と、バックアップコンピュータ２０内で運用コンピュータ１０を接続するデータ送受信処理部２１と、データ送受信処理部１３、２１を接続する通信回線１４、通信回線１５、通信回線１６と、を含む。運用コンピュータ１０及びバックアップコンピュータ２０には、汎用機、ＵＮＩＸ（登録商標）、Ｗｉｎｄｏｗｓ（登録商標）、ＬＩＮＵＸ（登録商標）などのいずれかを搭載できる。
【００２０】
運用コンピュータ１０は、オンライン端末１からの入力データを処理するオンライン処理部１１と、入力データによって更新される顧客データをファイルするデータベース１２と、を含む。オンライン端末１は、オンライン処理に必要な入力データを運用コンピュータ１０へ送信し、結果を運用コンピュータ１０から受信する機能を有する。
【００２１】
バックアップコンピュータ２０は、データベース１２の退避データであるベースデータファイル２２と、データベース１２の更新データであるトランザクションデータファイル２３と、運用コンピュータ１０の稼動状態を保存する保管データファイル２４と、バックアップコンピュータ２０に備えるバックアップデータベース２６と、バックアップデータベース２６をベースデータ及びトランザクションデータを用いて作成・更新するデータベース作成処理部２５と、営業店のパーソナルコンピュータからバックアップデータベース２６を検索・更新するデータ検索更新処理部２７と、バックアップデータベース２６に対する更新データ２８と、オフラインのパーソナルコンピュータ５に所定の営業店の顧客データをバックアップデータベース２６から部分データベースを作成する部分抽出処理部２９と、パーソナルコンピュータ３からバックアップデータベース２６を更新した結果を格納する更新データ２８と、バックアップコンピュータ２０に接続するパーソナルコンピューのブラウザに送る検索・更新の操作画面を格納する画面データ３０と、を備える。
【００２２】
ベースデータの格納形式を示す図２（ａ）を参照すると、ベースデータ格納形式は、ヘッダ部２０１と、項目Ｍ部２０２と、データ部２０３と、コマンド部２０４と、で構成される。ベースデータ転送後、直ちにデータベース作成処理部２５を起動しない場合は、コマンド部２０４のコマンドを要しない。
【００２３】
ヘッダ部２０１の形式は、図２（ｂ）を参照すると、ヘッダ部２０１を認識するためのキーワード“ヘッダ”２１０と、ベースデータである“ベース”２１１と、ベースデータを格納するファイル名２１２と、バックアップデータベース２６に作成するテーブル名２１３と、初期ロードか、あるいは追加ロードかのテーブルデータ作成方法を指示する作成指示２１４と、転送されたデータの文字コード２１５と、文字コードの変換を指定する変換指示２１６と、から構成されている。
【００２４】
項目部２０２の形式は、図２（ｃ）を参照すると、項目部２０２を認識するためのキーワード“項目”２２０と、項目部２０２内の通番２２１と、テーブル項目の項目名、キーの有無、長さ、属性、精度を含む項目属性２２２と、項目属性２２２に対応するベースデータ上のデータ位置、長さ、属性、精度を含む入力データ属性２２３と、から構成されている。
【００２５】
データ部２０３の形式は、図２（ｄ）を参照すると、データ部２０３を認識するためのキーワード“データ”２３０と、データ部２０３内の通番２３１と、データ値２３２と、から構成されている。
【００２６】
コマンド部２０４は、図２（ｅ）を参照すると、コマンド部２０４を認識するためのキーワード“コマンド”２４０と、ベースデータである“ベース”２４１と、ベースデータを格納するファイル名２４２と、から構成されている。
【００２７】
これらの情報により、ベースデータからバックアップデータベース２６のテーブル作成、データのロード方式が決定でき、指示に従って実際の作成を行うことができる。ベースデータファイル２２は複数持つことが可能であり、複数のテーブルを生成およびデータロードできる。
【００２８】
トランザクションの格納形式を示す図３（ａ）を参照すると、トランザクションデータの格納形式は、ヘッダ部３０１と、項目部３０２と、コマンド部３０３と、データ部３０４と、から構成されて格納されるが、転送後直ちにデータベース作成処理部２５を起動しない場合は、コマンド部３０３のコマンドを要しない。
【００２９】
ヘッダ部３０１は、図３（ｂ）を参照すると、ヘッダ部３０１を認識するためのキーワード“ヘッダ”３１０と、トランザクションデータである“トランザクション”３１１と、トランザクションデータを格納するファイル名３１２と、データベース２６内の更新するテーブル名３１３と、リアルタイムで更新するか、あるいは一括で更新するか、を指示する作成指示３１４と、転送されたデータの文字コード３１５と、文字コードの変換を指定する変換指示３１６と、から構成されている。
【００３０】
項目部３０２は、図３（ｃ）を参照すると、項目部３０２を認識するためのキーワード“項目”３２０と、項目部３０２内の通番３２１と、テーブル項目の項目名、キーの有無、長さ、属性、精度を含む項目属性３２２と、項目属性３２２に対応するトランザクションデータのデータ位置、長さ、属性、精度を含む入力データ属性３２３と、から構成されている。
【００３１】
コマンド部３０３は、図３（ｄ）を参照すると、コマンド部３０３を認識するためのキーワード“コマンド”３３０と、トランザクションデータである“トランザクション”３３１と、トランザクションデータを格納するファイル名３３２と、から構成されている。
【００３２】
データ部３０４は、図３（ｅ）を参照すると、データ部３０４を認識するためのキーワード“データ”３４０と、データ部内の通番３４１と、データ値３４２と、から構成されている。
【００３３】
これらの情報により、トランザクションデータからデータベース２６のテーブルデータの更新方式が決定でき、実際の更新指示を行うことができる。トランザクションデータファイル２３は複数持つことが可能であり、バックアップデータベース２６の複数テーブルを更新できる。
【００３４】
次に、この実施の形態の動作について、図４、図５、図６、図７、図８を参照して、この実施例の動作について詳細に説明する。ベースデータの生成及び転送を示す図４を参照すると、運用コンピュータ１０でヘッダ部２０１を生成し（ステップ４０１）、項目部２０２を生成し（ステップ４０２）、データ部２０３を生成し、必要であればコマンド部２０４を生成する（ステップ４０３）。すべてのベースデータが作成できたなら運用コンピュータ１０からベースデータのファイル送信を行い（ステップ４０４）、バックアップコンピュータ２０にて受信し、ベースデータファイル２２に格納する（ステップ４０５）。
【００３５】
コマンド部２０４がある場合は、データベース作成処理部２５を起動し（ステップ４０６）、作成指示が初期ロードの場合、該当テーブルがデータベース２６に存在する場合、テーブルの再作成を行い（ステップ４０７）、全データの削除を行う（ステップ４０８）。その後、ベースデータのテーブルへの追加を行う（ステップ４０９）。
【００３６】
トランザクションデータの生成および転送を示す図５を参照すると、ヘッダ部３０１を生成し（ステップ５０１）、項目部３０２を生成し（ステップ５０２）、必要であればコマンド部３０３を生成しデータ部３０４を生成し（ステップ５０３）、運用コンピュータ１０からトランザクションデータのファイル送信を行い（ステップ５０４）、バックアップコンピュータ２０にて受信し、トランザクションデータファイル２３へ格納する（ステップ５０５）。
【００３７】
コマンド部３０３がある場合は、データベース作成処理部２５を起動し（ステップ５０６）、これ以降トランザクションデータを受信する毎にデータ追加更新処理を行う（ステップ５１０）。運用コンピュータ１０では、オンライン端末１からの要求でオンライン処理部１１が起動され（ステップ５０７）、更新があった場合はトランザクションデータを送信し（ステップ５０８）、バックアップコンピュータ２０で受信し（ステップ５０９）、データベース作成処理部２５が起動済みの場合、データベース作成処理部２５にトランザクションデータの追加更新処理を要求する（ステップ５１０）。トランザクションデータは追加更新処理がある場合も、あるいは追加更新処理がない場合もトランザクションデータファイル２３の蓄積を行う（ステップ５１１）。コマンド部３０３がない場合は、コマンド指示があった時点で、上記と同様な動作をトランザクションデータファイル２３に対して行う。
【００３８】
運用コンピュータ１０が災害などのために、オンライン端末を接続できない事態になったとき、営業店などにあるパーソナルコンピュータ３をバックアップコンピュータ２０に接続し、バックアップデータベース２６にアクセスし、検索更新を行う場合の動作を図７を参照して説明する。
【００３９】
パーソナルコンピュータ３を電話回線４などによって、バックアップコンピュータ２０に接続し、データ検索更新処理部２７を通じて、バックアップデータベース２６に対する検索・更新処理する場合、パーソナルコンピュータ３をバックアップコンピュータ２０に接続し（ステップ７０１）、データ検索・更新処理部２７を通じて、バックアップデータベース２６の検索及び更新を行う（ステップ７０２）。この時、データの更新が発生した場合は、更新イメージを更新データファイル２８に出力する（ステップ７０３）。パーソナルコンピュータ３がバックアップコンピュータ２０へ接続できる場合に、オフラインのパーソナルコンピュータ５に部分抽出データを給するため、パーソナルコンピュータ３が外部記憶媒体６を装填し（ステップ７０４）、データ検索・更新処理によって、バックアップデータベース２６の部分抽出データを格納した外部記憶媒体を用いて、部分バックアップデータベースの検索および更新を行う（ステップ７０５）。この時、データの更新が発生した場合は、更新イメージをパーソナルコンピュータ５の更新データファイル７へ出力する（ステップ７０６）。
【００４０】
運用コンピュータ１０が復旧した場合、バックアップコンピュータ２０で更新したデータを切り戻す動作を説明する。オフラインで動作したパーソナルコンピュータ５がある場合、更新データがローカルな更新データファイル７に存在するため、この時点でもバックアップコンピュータへ接続不可能な場合は、更新データファイル７を持ち運び可能な記憶媒体６などに吸い上げ（ステップ８０３）、バックアップコンピュータ２０へ接続可能なパーソナルコンピュータ３に持ち込み（ステップ８０４）、バックアップコンピュータ２０へ接続を行い（ステップ８０１）、更新データファイル７を記憶媒体６を介して、バックアップコンピュータ２０に送信する（ステップ８０２）。更新データファイル７がバックアップコンピュータ２０の更新データファイル２８に集められたら、更新データファイル２８のトランザクションデータを運用コンピュータ１０へ転送し（ステップ８０５）、運用コンピュータ１０のデータベース１２に反映する（ステップ８０６）。更新データファイル２８を運用コンピュータ１０へ転送し（ステップ８０７）、運用コンピュータ１０のデータベース１２に反映する（ステップ８０８）。
【００４１】
なお、この説明ではトランザクションデータ、更新データの転送および反映について記述したが、バックアップコンピュータ２０に存在するすべてのファイル２２，２３，２４，２６について、運用コンピュータ１０へ転送することができる。
【００４２】
次に、この実施の形態で、運用コンピュータ１０が災害などのために復旧できない事態になったとき、営業店などにあるパーソナルコンピュータ３をバックアップコンピュータ２０に接続し、バックアップデータベース２６にアクセスし、部分抽出データを得て、オフラインのパーソナルコンピュータ５を使用して、営業店の通帳処理を支援する場合の動作を説明する。図７で既に説明したように、バックアップコンピュータ２０に接続可能なパーソナルコンピュータ３から部分抽出処理部２９を起動し、業務の続行に必要な最低限のデータを取り込み、取り込んだデータを外部記憶媒体７に書き込み、パーソナルコンピュータ５へ持ち込むことにより、オフラインのパーソナルコンピュータ５でも、バックアップデータベース２６の検索や更新を行って、通帳処理を支援する口座残高の照会ができることになる。
【００４３】
バックアップデータベース２６から営業店の顧客データなどを抽出する部分抽出処理部の動作を示す図６を参照すると、部分抽出処理は、パーソナルコンピュータ３からバックアップコンピュータ２０に接続し（ステップ６０１）、部分抽出コマンドを送信し（ステップ６０２）、バックアップコンピュータ２０が部分抽出コマンドを受信することにより（ステップ６０３）、部分抽出処理部２９を起動してデータを抽出し（ステップ６０４）、抽出したデータをパーソナルコンピュータ３にファイル転送する（ステップ６０５）。パーソナルコンピュータ３は転送された部分抽出データを外部記憶媒体６に書き込み（ステップ６０６）、オフラインパーソナルコンピュータ５に装填して、持ち込むことにより、オフラインパーソナルコンピュータ５でもバックアップデータベース２６を参照して、業務を続行することができる。記憶媒体６に対する更新データをバックアップコンピュータ２０に吸い上げて、運用コンピュータ１０に反映させることは、図８で説明されている。
【００４４】
【発明の効果】
この発明の第１の効果は、バックアップコンピュータでのテーブル作成、データロード、データ更新、データ参照の動作を、運用コンピュータあるいはパーソナルコンピュータからの指示ですべて行えるため、完全に無人化運用が可能である。その理由は、バックアップコンピュータをデータベースサーバなどの簡易な装置を用い、バックアップデータベースをベースデータ及びトランザクションデータに付されたコマンドによって作動させることができるからである。
【００４５】
更に、第２の効果は、運用コンピュータのデータベース構成が変更になった場合でも、運用コンピュータから送信するデータ内容を変更することにより、バックアップコンピュータのバックアップデータベースも自動的に変更となり、バックアップコンピュータでの特別な再構成処理が不要である。その理由は、バックアップデータベースはベースデータ及びトランザクションデータに含む指定によって作成されるからである。
【００４６】
第３の効果は、運用コンピュータでデータやテーブルの構成変更が発生した場合、運用コンピュータ側のプログラムを修正するのみで済み、バックアップコンピュータ側の修正は不要なため、プログラムメンテナンスが容易である。
その理由は、バックアップコンピュータは、運用コンピュータから転送されるベースデータ及びトランザクションに含む指定によって、バックアップデータベースを作成できるからである。
【００４７】
更に、第４の効果は、バックアップデータを一般のＷＷＷブラウザで参照・更新できることから、バックアップのために特別なコンピュータでなく、通常、他の業務で使用しているパーソナルコンピュータを使用できることである。
その理由は、ブラウザによって、バックアップデータベースを検索更新でき、かつ、画面データをバックアップコンピュータが備え、ダウンロードできるからである。
【図面の簡単な説明】
【図１】この発明の実施の形態の構成を示す図である。
【図２】ベースデータの格納形式及び構成を例示する図である。
【図３】トランザクションの格納形式及び構成を例示する図である。
【図４】運用コンピュータからバックアップコンピュータにベースデータを送信して、データベースを作成する動作を例示する図である。
【図５】運用コンピュータ及びオンライン端末からトランザクションデータを送信して、データベースを更新する動作を例示する図である。
【図６】オフラインのパーソナルコンピュータに対するバックアップデータベースの部分抽出データを生成して、送信する動作を例示する図である。
【図７】バックアップコンピュータに接続するパーソナルコンピュータと、オフラインのパーソナルコンピュータの更新データを出力する動作を例示する図である。
【図８】バックアップコンピュータの更新データを運用コンピュータのデータベースに反映させる動作を例示する図である。
【符号の説明】
１    オンライン端末
３    パーソナルコンピュータ
４    電話回線
５    パーソナルコンピュータ
６    記憶媒体
７    更新データファイル
１０    運用コンピュータ
１１    オンライン処理部
１２    データベース
１３    データ送受信処理部
１４    通信回線
１５    通信回線
１６    通信回線
２１    データ送受信処理部
２２    べースデータファイル
２３    トランザクションデータファイル
２４    保管データファイル
２５    データベース作成処理部
２６    バックアップデータベース
２７    データ検索更新処理部
２８    更新データファイル
２９    部分抽出処理部
３０    画面データ
【図１】
2005018463.tif 000003
【図２】
2005018463.tif 000004
【図３】
2005018463.tif 000005
【図４】
2005018463.tif 000006
【図５】
2005018463.tif 000007
【図６】
2005018463.tif 000008
【図７】
2005018463.tif 000009
【図８】
2005018463.tif 000010